(57)【要約】      （修正有）【課題】ねずみなどの動物が籠の中に完全に入らなくても、出入口から体の半分程度を籠の中に入れただけで扉を閉め、扉で動物の尻を叩くようにして押し込めることが可能な、動物捕獲器及びねずみ捕獲器を提供する。【解決手段】籠２、扉３及び扉３を閉めるためのバネ８を有するねずみ捕獲器１とし、扉３に抑止部材９を取り付け、天井２ａに押さえ棒４と、押止部５ａを有する振子部材５を設ける。籠３の出入口２ｂ付近に踏み板６を設け、踏み板６の先端部に引張材７を取り付け、引張材７の引掛部７ｂを振子部材５の傾斜部５ｅに掛ける。捕獲待状態にするときは扉３を開き、抑止部材９の抑止部９ａの上を通して、押さえ棒４の先端４ｂを押止部５ａに掛ける。このとき振子部材５の垂下部５ｃは概略垂直となり、引張材７の引掛部７ｂは振子部材５の曲部５ｄ付近に位置し、踏み板６は傾斜する。【選択図】図１
0003153207.tif 000002
【実用新案登録請求の範囲】
【請求項１】
出入口を有する籠と、前記出入口に取り付けた扉であって、上部に取り付けたホルダを中心として開閉する前記扉と、前記扉に取り付けた抑止受材であって止受部を有する前記抑止受材と、前記扉を閉める方向に力をかけるバネと、片方の端部を繋止部として前記籠の天井に取り付けた押さえ棒と、前記天井に取り付けた振心部を中心として揺動可能な振子部材とからなる動物捕獲器であって、
前記振子部材は、上部に押止部を有するものとし、さらに前記押止部から前記振心部の下側まで伸びる垂下部及び傾斜部を有するものとし、
前記出入口近傍であって前記籠の床に取り付けたホルダと、前記ホルダにその根元部を取り付けた踏み板であって、前記ホルダを中心に傾斜可能な踏み板を設け、さらに引張材を設け、片方の端部を掛止部として前記踏み板の先端部に取り付け、他方の端部を引掛部として前記振子部材の前記傾斜部に掛け、
動物を捕獲しようとする状態である捕獲待状態にするときにおいて、前記扉を開いたときに、前記抑止受材の前記止受部が前記天井の上であって、かつ、前記振子部材の前記振心部より前記出入口側に位置するものとし、
また前記扉を開いたときに、前記押さえ棒の前記繋止部は前記止受部より前記出入口側に位置するものとし、前記捕獲待状態にするときには、前記押さえ棒を前記止受部の上を通した状態にして、前記押さえ棒の先端を前記振子部材の前記押止部に掛けるものとし、
さらに前記捕獲待状態において、前記振子部材の前記垂下部は概略垂直となり、前記傾斜部は傾斜するものとし、前記垂下部と前記傾斜部の曲部付近に前記引張材の前記引掛部は位置するものとし、前記引掛部が前記傾斜部を滑り落ちることなく、前記踏み板が傾斜した状態を維持するように構成したことを特徴とする動物捕獲器。
【請求項２】
請求項１に記載した動物捕獲器において、捕獲待状態において踏み板が水平に対して１０〜２５度の角度であることを特徴とする動物捕獲器。
【請求項３】
請求項１又は請求項２のいずれかに記載した動物捕獲器において、振子部材の垂下部と傾斜部との間の角度が１３０〜１５０度の角度であることを特徴とする動物捕獲器。
【請求項４】
請求項１〜請求項３のいずれかに記載した捕獲器において、籠、扉、抑止受材、押さえ棒、振子部材及び 引張材がいずれも鉄線又はステンレスの線からなることを特徴とするねずみ捕獲器。
【考案の詳細な説明】
【技術分野】
【０００１】
本考案は、ねずみなどの動物を捕獲することに適した動物捕獲器に関するもので、ねずみなどの動物が出入口に設けた踏み板を踏んだだけで、動物の体全体が籠の中に入らなくても、強制的に捕獲してしまう動物捕獲器に関するものである。
【背景技術】
【０００２】
従来のねずみ捕獲器は籠の奥に振子部材を吊り下げ、振子部材に餌を取り付ける方法を採っていた。そして餌を食べようとしたねずみが振子部材にぶら下がったときや、ねずみが餌をくわえて出入口方向に引いたときに、振子部材が傾いて扉が閉まる構成であった。
以上のような従来のねずみ捕獲器では、ねずみなどの動物が籠の中に入っただけでは扉は閉まらないという問題があった。回りにねずみなどの動物の餌となる食物が全くない場合はともかく、養鶏場、養豚場及び穀物を保存する倉庫などにおいては、ねずみなどの動物が食べる食物は十分あるため、従来のねずみ捕獲器の中に入ることはあっても、餌を食べるために振子部材にぶら下がることや、餌をくわえて引くことはほとんどなかった。
考案者達は養鶏場を経営しておりねずみの被害に悩んでいた。従来のねずみ捕獲器を２月の間養鶏場に置いてみたが１匹も捕獲することができなかった。また薬品を使ってねずみを駆除しようとしたが、使い続けると段々薬品がねずみに効かなくなってしまった。さらに粘着パッドを使ってみたが、粘着面に埃が付着してしまい、効果がなくなってしまう問題と、一度貼り付いても剥がして逃げてしまう問題があった。
またシーソー状の床板を設け、動物が支点を通過して奥まで入ったときに、扉を閉める発明があった（例えば、特許文献１参照。）。しかし係る発明は動物が支点を通過して、支点より奥側に動物の体重がかからないと扉は閉まらないため、警戒心の強い動物を確実かつ効率的に捕獲することはできない問題があった。
そこで、考案者は試行錯誤の実験を繰り返した結果、本願考案に至ったものである。
【先行技術文献】
【特許文献】
【０００３】
【特許文献１】特開２００３−６１５５０号公報
【考案の概要】
【考案が解決しようとする課題】
【０００４】
ねずみなどの動物が籠の中に完全に入らなくても、体の半分程度を籠の中に入れただけで扉を閉め、扉で動物の尻を叩くようにして押し込めることが可能な、ねずみなどの動物を捕獲することに適した動物捕獲器を提供する。
【課題を解決するための手段】
【０００５】
籠の出入口に傾斜させた踏み板を設け、踏み板にねずみなどの動物が前足をのせて、体重を掛けたときに扉を閉め、たとえねずみなどの動物の尻の部分が籠の外にあっても、扉で尻を叩くようにして強制的に捕まえるようにする。
【考案の効果】
【０００６】
籠の出入口に傾斜させて設けた踏み板に動物が前足をのせ、前足に体重を掛けたときに扉を閉める動物捕獲器であって、扉で動物の尻を叩くようにして押し込める動物捕獲としたので、捕獲効率の高い動物捕獲器及びねずみ捕獲器を提供することができた。
構造がシンプルで、軽量かつコンパクトであって、耐久性が高く繰り返し使用することが可能であって、埃や水気に強く、さまざまな場所に設置可能な、動物捕獲器及びねずみ捕獲器を提供することができた。
【図面の簡単な説明】
【０００７】
【図１】ねずみ捕獲器の側面視の断面図である。
【図２】ねずみ捕獲器の正面視の断面図である。
【図３】ねずみ捕獲器の平面図である。
【考案を実施するための形態】
【０００８】
出入口を有する籠と、出入口に取り付けた扉であって、上部に取り付けたホルダを中心として開閉する扉と、扉に取り付けた抑止受材であって止受部を有する抑止受材と、扉を閉める方向に力をかけるバネと、片方の端部を繋止部として籠の天井に取り付けた押さえ棒と、天井に取り付けた振心部を中心として揺動可能な振子部材とからなる動物捕獲器とする。
籠や扉の材料は鉄材、ステンレス材、アルミ合金などの金属であっても、合成樹脂であっても、籐、竹、木などであっても構わない。動物を捕獲したことを容易に見つけることができ、軽量化の点で優れていることから打ち抜き材、網、格子状などの籠や扉にすることが好ましい。
ホルダは軸受、メタル、樹脂などを使用することも好ましいが、単に鉄線、線材、棒材、平綱などを折り曲げた構造や、環状の部材を取り付けた構造としても構わない、扉を回転可能に保持することができればよいからである。
抑止受材は押さえ棒によって、籠の天井に向かって押し付けられることに適していればその形状についてこだわるものではない。しかし鉄線、線材、棒材などをＵ字状に折り曲げた抑止受材とし、折り返す部分を止受部とするとＵ字に囲われた内側の部分に、押さえ棒の繋止部を取り付けることができるため好ましい。
扉を閉める方向に力をかけるバネとしては、コイルバネを取り付けて扉を引っ張る構成や、扉を開閉するための中心軸を設け、中心軸に渦巻きバネを取り付けて力をかける構成もあり、バネの種類や取り付け方にこだわるものではない。
押さえ棒の繋止部は鉄線、線材、棒材などを折り曲げたものや、環状の部材を取り付けた構成などとして、確実に籠の天井に取り付ける。取り付けさえ確実であれば自由度の高いラフな取付とすることが好ましい。
振子部材は上部に押止部を有するものとし、さらに押止部から振心部の下側まで伸びる垂下部と、垂下部の下に傾斜部を有するものとする。振子部材の振心部は鉄線、線材、棒材などを折り曲げたものや、環状の部材を取り付けた構成などとすることが好ましい。確実に籠の天井に取り付けられれば、自由度の高いラフな取付で構わないからである。
また振子部材の押止部は鉄線、線材、棒材などを折り曲げたものや、環状の部材を取り付けた構成などとして、押止部に押さえ棒の先端を通すことが可能な構成とする。さらに振子部材の垂下部と傾斜部の間を曲部とし、傾斜部の下側にはストッパを設け、傾斜部に引張材の引掛部を掛けたときに抜け落ちない構成とすることが好ましい。
【０００９】
そして出入口近傍において籠の床に取り付けたホルダと、ホルダにその根元部を取り付けた踏み板であって、ホルダを中心に傾斜可能な踏み板を設ける。さらに引張材の片方の端部を掛止部として踏み板の先端部に取り付け、他方の端部を引掛部として振子部材の傾斜部に掛ける。
ホルダは軸受、メタル、樹脂などを使用することも好ましいが、単に鉄線、線材、棒材、平綱などを折り曲げた構造や、環状の部材を取り付けた構造としても構わない、踏み板を回転可能に保持することができればよいからである。
踏み板の材料は鉄材、ステンレス材、アルミ合金などの金属であっても、合成樹脂であっても、籐、竹、木などを編んだものであっても構わない。引張材の掛止部は鉄線、線材、棒材などを折り曲げたものや、環状の部材を取り付けた構成などとすることが好ましい。確実に踏み板の先端部に取り付けることができれば、自由度の高いラフな取付で構わないからである。
また引張材の引掛部は鉄線、線、棒材などを折り曲げたものや、環状の部材を取り付けた構成などとして、振子部材の傾斜部に掛けたときに外れないようにする。また傾斜部を滑り落ちたときにはストッパによって止められ、傾斜部から抜け落ちない形状とすることが好ましい。
扉を開いて動物を捕獲しようとする状態である捕獲待状態にするときにおいて、扉を開いたときに抑止受材の止受部が天井の上であって、かつ、振子部材の振心部より出入口側に位置するものとする。
また扉を開いたときに、押さえ棒の繋止部が抑止受材の止受部より出入口側に位置するものとし、捕獲待状態にするときには、押さえ棒を止受部の上を通した状態にして、押さえ棒の先端を振子部材の押止部に掛ける。
このように取り付けることにより、押さえ棒は振子部材の押止部によって拘束される。また止受部が押さえ棒によって押さえられるため、抑止受材は天井から離れる方向に動くことができず、バネの力に抗して扉は開いた状態を維持する。
また捕獲待状態においては、振子部材の垂下部は概略垂直ではあるが、曲部が振心部より出入口に近くなるよう、僅かに傾いた状態にすると押止部から押さえ棒の先端が外れやすくなり、扉を閉めるときの応答性が早くなるため好ましい。
捕獲待状態では振子部材の傾斜部は傾斜した状態となり、振子部材の曲部付近に引張材の引掛部は位置する。捕獲待状態における傾斜部の角度について、過度に大きくすると引掛部が傾斜部を滑り落ちてしまい、過度に小さくすると扉を閉めるときの応答性が悪くなる。実験の結果によると、捕獲待状態における水平に対する傾斜部の角度は概略４０〜６０度とすることが好ましい。
捕獲待状態においては、掛止部が傾斜部を滑り落ちることなく、踏み板は傾斜した状態を維持する。試行錯誤の実験の結果によると、捕獲待状態における踏み板の傾斜角は１０〜２５度とすることが好ましい。
【００１０】
本考案の動物捕獲器を捕獲待状態にしたときに、ねずみを始めとする動物が踏み板に前足を掛けて体重を載せると、踏み板は水平になる方向に動く。このとき踏み板の先端部に取り付けた引張材を引くため、振子部材の曲部が出入口側に引かれて振子部材の垂下部が傾斜し、振子部材の押止部は籠の奥面側に動く。
その結果押さえ棒の拘束が外れて、抑止受材の止受部を押さえる力がなくなるため、バネの力によって扉が閉まる。ねずみを始めとする動物の体全体は籠の中に入っていなくても、閉まる扉が動物の尻を叩くようにして、強制的にねずみなどの動物を籠の中に押し込めて捕獲してしまう。
捕獲待状態において踏み板が水平に対して１０〜２５度の角度である動物捕獲器とする。試行錯誤した結果によると、捕獲待状態における踏み板の角度は、水平に対して１０〜２５度とすることが好ましく、水平に対して１５〜２０度とするとさらに好ましく、水平に対して１７度とすることが最も好ましかったからである。
振子部材の垂下部と傾斜部との間の角度が１３０〜１５０度の角度である動物捕獲器とする。考案者が試行錯誤した結果によると、垂下部と傾斜部との間の角度を１３０〜１５０度とすると、捕獲待状態における水平に対する傾斜部の角度が概略４０〜６０度となり好ましかったからである。
また垂下部と傾斜部との間の角度を１３５〜１４５度とすると、捕獲待状態における水平に対する傾斜部の角度が概略４５〜５５度となるのでさらに好ましく、垂下部と傾斜部との間の角度を１４０度とすると、捕獲待状態における水平に対する傾斜部の角度が概略５０度となり最も好ましかった。
さらに傾斜部の下に折り返しを設けこれをストッパにすると、扉を閉めたときに傾斜部を滑り落ちた掛止部が抜け落ちることがなく好ましい。
籠、扉、抑止受材、押さえ棒、振子部材及び引張材がいずれも鉄線又はステンレスの線からなることを特徴とするねずみ捕獲器とする。
考案者が試行錯誤した結果、籠、扉及び振子部材には０．８〜１．４ｍｍ径の線を使用し、抑止受材と押さえ棒には２〜２．９ｍｍ径の線を使用し、踏み板には０．２〜１ｍｍ厚さのガリバニウム鋼板を使用した場合に、ねずみ捕獲器として最も好ましかったからである。
【実施例１】
【００１１】
以下ねずみ捕獲器の実施例１を図１〜３に示して説明する。図１〜３はいずれも捕獲待状態を表した図である。図１及び図２では断面の向こう側にある鉄線については、紛らわしさを避けるため、鉄線の中心を２点鎖線で表し外形線を省いた。
実施例１のねずみ捕獲器１は、線径１ｍｍの鉄線からなる籠２であって天井２ａ、床面２ｃ、側面２ｄ、奥面２ｅ及び出入口２ｂとからなる籠２と、出入口２ｂに取り付けた線径１．２ｍｍの鉄線からなる扉３を有している。扉３は籠の出入口２ｂの上部に取り付けたホルダ３ａを中心として開閉可能なものとし、線径２．６ｍｍの鉄線をＵ字状に折り曲げてなる抑止受材９を取り付けた。
籠の天井２ａには線径２．６ｍｍの鉄線からなる押さえ棒４を設け、押さえ棒４の片方の端部を折り返してなる繋止部４ａを天井２ａの鉄線に取り付けた。扉３を開いた状態にして天井２ａの鉄線に片端部８ａを掛け、他端部８ｂを扉３の鉄線に掛ける形で２本のバネ８を取り付け、バネ８の力により扉３が閉まるようにした。また線径１．２ｍｍの鉄線からなる振子部材５を設け、鉄線を輪状に折り曲げてなる振心部５ｂを天井２ａの鉄線に取り付け、振心部５ｂを中心に振子部材５は揺れ動くことが可能なものとした。
そして扉３を開いたときに、抑止受材９の止受部９ａが天井２ａの上であって、かつ、平面視において出入口２ｂから振心部５ｂまでの距離の概略２／３程度の位置に止受部９ａが位置するようにした。また平面視において出入口２ｂから振心部５ｂまでの距離の概略１／３程度の位置であって、かつ、抑止受材９のＵ字状の内側９ｂに押さえ棒４の繋止部４ａを取り付け、押さえ棒４の先端４ｂは振子部材の押止部５ａに届くものとした。
振子部材５は上部を折り返してなる押止部５ａとし、押止部５ａから振心部５ｂの下まで伸びる垂下部５ｃ、傾斜部５ｅ及び立上部５ｆを有するものとし、垂下部５ｃと傾斜部５ｅとの間の角度Ｃを１４０度として曲部５ｄを設けた。
【００１２】
籠２の出入口２ｂの床面２ｃにホルダ６ａを設けて、ホルダ６ａに根元側の端部を取り付けて０．３ｍｍ厚さのガリバニム鋼板からなる踏み板６を設けた。また１．２ｍｍの鉄線からなる引張材７を設け、片方の端部を折り曲げてなる掛止部７ａとして踏み板６の先端部に取り付け、引張材７の他方の端部を折り曲げてなる引掛部７ｂとして、振子部材５の傾斜部５ｅに掛けた。
自然な状態においては扉３は閉じ、曲部５ｄが出入口２ｂ側にまた押止部５ａが奥面２ｅ側に振れた状態で振子部材５の垂下部５ｃは傾き、踏み板６は概略水平になって床面２ｃに付き、傾斜部５ｅの下部の折り返し５ｆをストッパとして、引張材７の引掛部７ｂは抜け落ちることなく止まっている。
ねずみを捕獲しようとする状態である捕獲待状態にする場合は、扉３を開いて抑止受材９の止受部９ａを天井２ａの上に位置させ、押さえ棒４が止受部９ａの上を通るようにして、押さえ棒４の先端４ｂを振子部材５の押止部５ａに掛ける。
このようにすると、曲部５ｄが出入口２ｂ側に近づくよう僅かに傾斜するものの、振子部材５の垂下部５ｃは概略垂直になり、傾斜部５ｅの角度Ｂは約５０度となる。また引張材７の引掛部７ｂは曲部５ｄ付近に移動し、踏み板６の先端部が持ち上がり踏み板６の傾斜角Ａは約１７度になる。
このようにすると、扉３にはバネ８により閉まろうとする力が働くが、抑止受材９の止受部９ａが押さえ棒４に押さえられているので開いた状態を維持する。また押さえ棒４には止受部９ａから上に持ち上げられる力が働くが、繋止部４ａは籠の天井２ａにより、先端４ｂは振子部材５の押止部５ａにより、それぞれ止められているので動かない。
【００１３】
捕獲待状態のねずみ捕獲器１の出入口２ｂから、頭を捕獲器１の中に入れてねずみが前足を踏み板６に乗せると、踏み板６は下がりながら引張材７を引く。引張材７は振子部材５の傾斜部５ｅを出入口２ｂ側に引くため振子部材５が傾き、押止部５ａが奥面２ｅ側に傾いて押さえ棒４の先端４ｂから外れる。押さえ棒４が外れるとバネ８に引っ張られて扉３が閉まる。
このとき、ねずみの尻の部分が籠３の外にあっても、扉３がねずみの尻を叩くようにして、強制的にねずみを籠２の中に押し込めてしまう。
従来のねずみ捕獲器を養鶏場に置いたところ、２月間の間に１匹もとれなかったのに対して、捕獲器１を養鶏場に置いたところ、１月間の間に６匹のねずみを捕獲することができた。養鶏場にはねずみが食べる鶏の餌が至るところにあり、回りに餌がない状況に比べて不利な状況であると思われるが、そのような不利な状況でも多くのねずみを捕獲することができた。
また試行錯誤に実験において、ねずみ捕獲器１の中に餌を入れなくてもねずみを捕獲することを確認できた。しかし、ねずみ捕獲器１の中に餌をいれておくとさらに効率良くねずみを捕獲することができた。
また構造がシンプルで頑丈な構成にすることができたので、ねずみが中で暴れても何ら影響を受けることがなく、繰り返し何度でも使用することができ、繰り返し何度もねずみを捕獲することができた。
【産業上の利用可能性】
【００１４】
本発明は、動物捕獲器やねずみ捕獲器を製造販売する産業だけでなく、養鶏場や養豚場や穀物の倉庫や穀物の販売サービスを行う産業、さらには、ねずみなどの動物の捕獲サービスを行う産業に利用される。
【符号の説明】
【００１５】
１  ：ねずみ捕獲器            ２  ：籠                  ２ａ：天井
２ｂ：出入口                  ２ｃ：床面                ２ｄ：側面
２ｅ：奥面                    ３  ：扉                  ３ａ：ホルダ
４  ：押さえ棒                ４ａ：繋止部              ４ｂ：先端
５  ：振子部材                ５ａ：押止部              ５ｂ：振心部
５ｃ：垂下部                  ５ｄ：曲部                ５ｅ：傾斜部
５ｆ：立上部                  ６  ：踏み板              ６ａ：ホルダ
７  ：引張材                  ７ａ：掛止部              ７ｂ：引掛部
８  ：バネ                    ８ａ：片端部              ８ｂ：他端部
９  ：抑止受材                ９ａ：止受部              ９ｂ：内側
【図１】
0003153207.tif 000003
【図２】
0003153207.tif 000004
【図３】
0003153207.tif 000005